【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
トラフィックアグリゲーションを使用するワイヤレスネットワークにおける通信をスケジュールするための方法であって、
ユーザ機器（ＵＥ）が、第１の接続を介して第１のワイヤレスネットワークにアクセスするために、第１のＲＡＴを使用して第１のアクセスポイントと通信することと、
前記ＵＥが、第２の接続を介して第２のワイヤレスネットワークにアクセスするために、第２のＲＡＴを使用して第２のアクセスポイントと通信することと、ここにおいて、前記第２のＲＡＴは日和見的通信をサポートし、前記第２のアクセスポイントと通信することは、前記第１のアクセスポイントが、前記ＵＥが前記第１のアクセスポイントおよび前記第２のアクセスポイントの両方と通信するためのトラフィックアグリゲーションを構成することに少なくとも部分的に基づく、
前記トラフィックアグリゲーションが構成された後に、前記ＵＥが、前記第１のアクセスポイントから、前記ＵＥが前記第２の接続を介した前記第２のアクセスポイントとの通信をスケジュールするためのリソースを決定することに関連する１つまたは複数のパラメータを受信することと、ここにおいて、前記１つまたは複数のパラメータは、前記第２の接続を介して、および前記第２のＲＡＴに基づいて前記通信をスケジュールすることに関連する、
前記ＵＥが前記１つまたは複数のパラメータに少なくとも部分的に基づいて前記リソースを決定することによって、前記第１のアクセスポイントとの前記トラフィックアグリゲーションにおいて、前記第２のアクセスポイントとの前記通信を構成することと
を備える、方法。
【請求項２】
前記１つまたは複数のパラメータが、前記第２のアクセスポイントと通信するための最大パケットサイズを含む、請求項１に記載の方法。
【請求項３】
前記１つまたは複数のパラメータが、前記第２のアクセスポイントと通信するためのパケットサイズを含む、請求項１に記載の方法。
【請求項４】
前記第１のアクセスポイントにバッファステータス報告を送信することをさらに備え、ここにおいて、前記１つまたは複数のパラメータは、前記第２のアクセスポイントとの通信を構成することにおいて使用される、前記バッファステータス報告と前記第１のアクセスポイントと通信するために受信されたリソース許可との間の差分を含む、請求項１に記載の方法。
【請求項５】
前記１つまたは複数のパラメータが、持続時間の間、前記第２のアクセスポイントと通信するためのターゲットまたは最大スループットを含む、請求項１に記載の方法。
【請求項６】
前記１つまたは複数のパラメータが、前記ターゲットまたは最大スループットを達成するための前記リソースを計算するための１つまたは複数の追加のパラメータを含み、ここにおいて、前記第２のアクセスポイントとの通信を構成することが、前記リソースに少なくとも部分的に基づく、請求項５に記載の方法。
【請求項７】
前記１つまたは複数のパラメータが、前記第１のアクセスポイントと通信するために受信されたリソース許可のリソースと、前記第２のアクセスポイントとの通信をスケジュールするためのリソースとの間の比を含み、ここにおいて、前記第２のアクセスポイントとの通信を構成することが、前記リソース許可のリソースに前記比を適用することに少なくとも部分的に基づいて前記第２のアクセスポイントとの通信をスケジュールするための前記リソースを決定することを含む、請求項１に記載の方法。
【請求項８】
前記１つまたは複数のパラメータが、前記第１のアクセスポイントと通信することにおける決定されたスループットレートと、前記第２のアクセスポイントとの通信をスケジュールするためのスループットレートとの間の比を含み、ここにおいて、前記第２のアクセスポイントとの通信を構成することが、前記第１のアクセスポイントと通信することにおける前記スループットレートに前記比を適用することに少なくとも部分的に基づいて前記第２のアクセスポイントとの通信をスケジュールするための前記スループットレートを決定することを含む、請求項１に記載の方法。
【請求項９】
前記１つまたは複数のパラメータが、前記第２のアクセスポイントと通信するためのバッファデータの比を含み、ここにおいて、前記第２のアクセスポイントとの通信を構成することが、前記第１のワイヤレスネットワークにおいて通信するためのバッファ中のデータの量に前記比を適用することに少なくとも部分的に基づいて前記リソースを決定することを備える、請求項１に記載の方法。
【請求項１０】
前記第１のアクセスポイントに、ある量のリソースを使用して前記第２のアクセスポイントと通信するための要求を送信することをさらに備え、ここにおいて、前記１つまたは複数のパラメータが、前記要求に対する応答を含む、請求項１に記載の方法。
【請求項１１】
前記１つまたは複数のパラメータが、１つまたは複数のコンポーネントキャリア、１つまたは複数の論理チャネル、または１つまたは複数の論理チャネルグループを介して前記第２のアクセスポイントと通信することに対応する、請求項１に記載の方法。
【請求項１２】
前記第１のＲＡＴが、ワイヤレスワイドエリアネットワーク技術であり、前記第２のＲＡＴが、ワイヤレスローカルエリアネットワーク技術である、請求項１に記載の方法。
【請求項１３】
前記第２のアクセスポイントと通信することに関するフィードバック情報を前記第１のアクセスポイントに送信することをさらに備え、ここにおいて、前記１つまたは複数のパラメータが、前記フィードバック情報に少なくとも部分的に基づく、請求項１に記載の方法。
【請求項１４】
前記フィードバック情報が、前記第２のアクセスポイントとのチャネル状態、変調およびコーディング方式、データレート、またはチャネル干渉の測度のうちの少なくとも１つを含む、請求項１３に記載の方法。
【請求項１５】
前記１つまたは複数のパラメータを受信することが、前記第２のアクセスポイントとの通信を構成するための前記リソースを決定することにおいて前記１つまたは複数のパラメータを使用するための、開始時間、停止時間、持続時間、または間隔のうちの少なくとも１つを指定する１つまたは複数の有効化パラメータを受信することを備える、請求項１に記載の方法。
【請求項１６】
前記第２のアクセスポイントと通信することが、前記トラフィックアグリゲーションを実施するために、前記第２のワイヤレスネットワークを介して前記第１のワイヤレスネットワークにアクセスすることを備える、請求項１に記載の方法。
【請求項１７】
トラフィックアグリゲーションを使用するワイヤレスネットワークにおける通信をスケジュールするための装置であって、
１つまたは複数のアクセスポイントと１つまたは複数の信号を通信するためのトランシーバと、
メモリと、
前記メモリに結合された少なくとも１つのプロセッサと、ここにおいて、前記少なくとも１つのプロセッサは、
前記トランシーバを介して、第１のワイヤレスネットワークにアクセスするために、第１の接続を介して第１のＲＡＴを使用して第１のアクセスポイントと通信することと、
前記トランシーバを介して、第２のワイヤレスネットワークにアクセスするために、第２の接続を介して第２のＲＡＴを使用して第２のアクセスポイントと通信することと、ここにおいて、前記第２の接続は、前記第１のアクセスポイントによって前記第１の接続とのトラフィックアグリゲーションを実施するように構成され、前記第２のＲＡＴは日和見的通信をサポートする、
前記トラフィックアグリゲーションが構成された後に、前記トランシーバを介して、前記第１のアクセスポイントから、前記第２の接続を介した前記第２のアクセスポイントと、前記トランシーバを介して、通信するための通信をスケジュールするためのリソースを決定することに関連する１つまたは複数のパラメータを受信することと、ここにおいて、前記１つまたは複数のパラメータは、前記第２の接続を介して、および前記第２のＲＡＴに基づいて前記通信をスケジュールすることに関連する、
前記トランシーバを介して、および前記１つまたは複数のパラメータに少なくとも部分的に基づいて前記リソースを決定することによって、前記第１のアクセスポイントとの前記トラフィックアグリゲーションにおいて、前記第２のアクセスポイントとの通信をスケジュールすることと
を行うように構成された、
を備える、装置。
【請求項１８】
前記１つまたは複数のパラメータが、前記第２のアクセスポイントと通信するための最大パケットサイズまたはパケットサイズを含む、請求項１７に記載の装置。
【請求項１９】
前記少なくとも１つのプロセッサが、前記第１のアクセスポイントにバッファステータス報告を送信するようにさらに構成され、ここにおいて、前記１つまたは複数のパラメータは、前記第２のアクセスポイントとの通信を構成することにおいて使用される、前記バッファステータス報告と前記第１のアクセスポイントと通信するために受信されたリソース許可との間の差分を含む、請求項１７に記載の装置。
【請求項２０】
前記１つまたは複数のパラメータが、持続時間の間、前記第２のアクセスポイントと通信するためのターゲットまたは最大スループットを含む、請求項１７に記載の装置。
【請求項２１】
前記１つまたは複数のパラメータが、前記第１のアクセスポイントと通信するために受信されたリソース許可のリソースと、前記第２のアクセスポイントとの通信をスケジュールするためのリソースとの間の比を含み、ここにおいて、前記少なくとも１つのプロセッサが、前記リソース許可のリソースに前記比を適用することに少なくとも部分的に基づいて前記第２のアクセスポイントとの通信をスケジュールするための前記リソースを決定することによって前記第２のアクセスポイントとの通信をスケジュールするように構成された、請求項１７に記載の装置。
【請求項２２】
前記１つまたは複数のパラメータが、前記第１のアクセスポイントと通信することにおける決定されたスループットレートと、前記第２のアクセスポイントとの通信をスケジュールするためのスループットレートとの間の比を含み、ここにおいて、前記少なくとも１つのプロセッサが、前記第１のアクセスポイントと通信することにおける前記スループットレートに前記比を適用することに少なくとも部分的に基づいて前記第２のアクセスポイントとの通信をスケジュールするための前記リソースを決定することによって前記第２のアクセスポイントとの通信をスケジュールするように構成された、請求項１７に記載の装置。
【請求項２３】
前記１つまたは複数のパラメータが、前記第２のアクセスポイントと通信するためのバッファデータの比を含み、ここにおいて、前記少なくとも１つのプロセッサが、前記第１のワイヤレスネットワークにおいて通信するためのバッファ中のデータの量に前記比を適用するように構成された、請求項１７に記載の装置。
【請求項２４】
前記少なくとも１つのプロセッサが、前記第１のアクセスポイントに、ある量のリソースを使用して前記第２のアクセスポイントと通信するための要求を送信するようにさらに構成され、前記１つまたは複数のパラメータが、前記要求に対する応答を含む、請求項１７に記載の装置。
【請求項２５】
前記１つまたは複数のパラメータが、１つまたは複数のコンポーネントキャリア、１つまたは複数の論理チャネル、または１つまたは複数の論理チャネルグループを介して前記第２のアクセスポイントと通信することに対応する、請求項１７に記載の装置。
【請求項２６】
前記少なくとも１つのプロセッサが、前記第２のアクセスポイントと通信することに関するフィードバック情報を前記第１のアクセスポイントに送信するようにさらに構成され、ここにおいて、前記１つまたは複数のパラメータが、前記フィードバック情報に少なくとも部分的に基づく、請求項１７に記載の装置。
【請求項２７】
前記少なくとも１つのプロセッサが、前記第２のアクセスポイントとの通信を構成することにおいて前記１つまたは複数のパラメータを使用するための、開始時間、停止時間、持続時間、または間隔のうちの少なくとも１つを指定する１つまたは複数の有効化パラメータを受信するように構成された、請求項１７に記載の装置。
【請求項２８】
トラフィックアグリゲーションを使用するワイヤレスネットワークにおける通信をスケジュールするための装置であって、
第１のワイヤレスネットワークにアクセスするために、第１の接続を介して第１のＲＡＴを使用して第１のアクセスポイントと通信することと、第２のワイヤレスネットワークにアクセスするために、第２の接続を介して第２のＲＡＴを使用して第２のアクセスポイントと通信することとを行うための手段と、ここにおいて、前記第２の接続は、前記第１のアクセスポイントによって前記第１の接続とのトラフィックアグリゲーションを実施するように構成され、前記第２のＲＡＴは日和見的通信をサポートする、
前記トラフィックアグリゲーションが構成された後に、前記通信するための手段を介して、前記第１のアクセスポイントから、前記第２の接続を介した前記第２のアクセスポイントと、前記通信するための手段を介して、通信するための通信をスケジュールするためのリソースを決定することに関連する１つまたは複数のパラメータを受信するための手段と、ここにおいて、前記１つまたは複数のパラメータは、前記第２の接続を介して、および前記第２のＲＡＴに基づいて前記通信をスケジュールすることに関連する、
前記通信するための手段を介して、および前記１つまたは複数のパラメータに少なくとも部分的に基づいて前記リソースを決定することによって、前記第１のアクセスポイントとの前記トラフィックアグリゲーションにおいて、前記第２のアクセスポイントとの通信をスケジュールするための手段と
を備える、装置。
【請求項２９】
前記１つまたは複数のパラメータが、前記第２のアクセスポイントと通信するための最大パケットサイズまたはパケットサイズを含む、請求項２８に記載の装置。
【請求項３０】
トラフィックアグリゲーションを使用するワイヤレスネットワークにおける通信をスケジュールするためのコンピュータ実行可能コードを備える非一時的コンピュータ可読記憶媒体であって、前記コードは、
少なくとも１つのコンピュータに、ユーザ機器（ＵＥ）が、第１のワイヤレスネットワークにアクセスするために、第１の接続を介して第１のＲＡＴを使用して第１のアクセスポイントと通信することと、前記ＵＥが、第２のワイヤレスネットワークにアクセスするために、第２の接続を介して第２のＲＡＴを使用して第２のアクセスポイントと通信することとを行わせるためのコードと、ここにおいて、前記第２の接続は、前記第１のアクセスポイントによって前記第１の接続とのトラフィックアグリゲーションを実施するように構成され、前記第２のＲＡＴは日和見的通信をサポートする、
前記少なくとも１つのコンピュータに、前記トラフィックアグリゲーションが構成された後に、前記ＵＥが、前記第１のアクセスポイントから、前記ＵＥが前記第２の接続を介した前記第２のアクセスポイントとの通信をスケジュールするためのリソースを決定することに関連する１つまたは複数のパラメータを受信させるためのコードと、ここにおいて、前記１つまたは複数のパラメータは、前記第２の接続を介して、および前記第２のＲＡＴに基づいて前記通信をスケジュールすることに関連する、
前記少なくとも１つのコンピュータに、前記ＵＥが前記１つまたは複数のパラメータに少なくとも部分的に基づいて前記リソースを決定することによって、前記第１のアクセスポイントとの前記トラフィックアグリゲーションにおいて、前記第２のアクセスポイントとの通信をスケジュールさせるためのコードと
を備える、非一時的コンピュータ可読記憶媒体。